(57)【特許請求の範囲】
【請求項１】
一方の足場板の桁側端部にこれと直交する他方の足場板の妻側端部が接続された仮設足場のコーナー部においてその入り隅部となる前記一方の足場板の桁側端部に設置する入り隅用幅木であって、前記一方の足場板の桁側端部上に起立姿勢に載置される幅木本体を有し、この幅木本体の両端部には夫々、前記一方の足場板の桁側端部上に載置固定される桁側幅木の端部、又は前記他方の足場板の桁側端部上に載置固定される桁側幅木の端部に対し上方より被嵌して取り付けられる端部取付金具を水平方向に回転可能に取り付けてなる入り隅用幅木において、
端部取付金具は、桁側幅木の端部に外嵌される断面略下向きコ字状の外被部材と、前記桁側幅木の端部内に嵌挿される内部嵌挿部材とからなることを特徴とする入り隅用幅木。
【請求項２】
幅木本体の外面側には幅木本体を足場板の桁側端部上に起立姿勢に固定する一つ又は複数のロック手段を設けてなることを特徴とする請求項１に記載の入り隅用幅木。
【請求項３】
ロック手段は、幅木本体の外面側に垂直姿勢と下部を外側へ突き出す傾斜姿勢との間で揺動可能に枢着されるセット金具からなり、このセット金具は、バネによって垂直姿勢に付勢され、垂直姿勢において幅木本体よりも下方へ張出して足場板の側縁部の下側に係止する係止部を備えてなる請求項２に記載の入り隅用幅木。
【請求項４】
一方の足場板の桁側端部にこれと直交する他方の足場板の妻側端部が接続された仮設足場のコーナー部においてその入り隅部となる前記一方の足場板の桁側端部に設置する入り隅用幅木であって、前記一方の足場板の桁側端部上に起立姿勢に載置される幅木本体を有し、この幅木本体の両端部には夫々、前記一方の足場板の桁側端部上に載置固定される桁側幅木の端部、又は前記他方の足場板の桁側端部上に載置固定される桁側幅木の端部に対し上方より被嵌して取り付けられる端部取付金具を水平方向に回転可能に取り付けてなる入り隅用幅木において、
各端部取付金具と幅木本体との間に、端部取付金具を幅木本体に対し直角をなすように回転した位置で固定する固定手段を介装したことを特徴とする入り隅用幅木。
【請求項５】
固定手段は、幅木本体の端部内にその上面より垂下挿入されて回転自在に支持された基軸部と、基軸部の上端部から水平方向に突設された水平軸部と、水平軸部の先端部から下向きに突出する係止軸部とを備えた固定ピン、及び前記基軸部を常時下向きに付勢するバネからなるもので、端部取付金具が幅木本体に対し直角を成す位置で係止軸部を端部取付金具上面側のロック孔に突入させることによって端部取付金具を直角位置に固定することを特徴とする請求項４に記載の入り隅用幅木。
【請求項６】
一方の足場板の桁側端部にこれと直交する他方の足場板の妻側端部が接続された仮設足場のコーナー部においてその入り隅部に設置する入り隅用幅木であって、前記一方の足場板の桁側端部上に起立姿勢に載置される幅木本体と、前記他方の足場板の桁側端部上に載置固定された桁側幅木の内側に起立姿勢に載置される幅木本体との二つの幅木本体を有し、両幅木本体は、一端部どうしがヒンジにより水平方向に回転可能に連結されており、各幅木本体３の他端部には、前記一方の足場板の桁側端部上に載置固定される桁側幅木の端部、又は他方の足場板の桁側端部上に載置固定される桁側幅木の端部を掴持する掴持フックを水平方向に回転可能に取り付けてなることを特徴とする入り隅用幅木において、
掴持フックは、基端部が取付軸により幅木本体の端部上面に水平方向回転可能に取り付けられる水平材と、上端部に設けた前記水平材の断面形状に対応する形状の貫通孔に水平材を嵌挿させることにより水平材にスライド可能に取り付けられる垂直材と、垂直材の下端部を水平材と略平行に螺通する締付用螺軸とからなり、水平材及び垂直材を前記桁側幅木の上端部に乗せ掛け、水平材に沿って垂直材をスライドさせて螺軸の先端部を桁側幅木の側壁部に当接させた状態で、締付用螺軸を回して締め込むことにより、垂直材の貫通孔が水平材に対し噛み込み力を発生して垂直材をロックし、それによって桁側幅木の端部を掴持するようにした入り隅用幅木。
【請求項７】
水平材の先端部には、水平材に嵌挿された垂直材が水平材から抜け出るのを防ぐ抜け止め部を設けている請求項６に記載の入り隅用幅木。
【請求項８】
垂直材の下部側は、桁側幅木に近づくように上部側に対し傾斜している請求項６又は７に記載の入り隅用幅木。
【請求項９】
締付用螺軸の先端部には、桁側幅木の側壁部に当接する皿形の当て金を回転可能に取り付けてなる請求項６〜８の何れかに記載の入り隅用幅木。
【発明の詳細な説明】
【技術分野】
【０００１】
本発明は、一方の足場板の桁側端部にこれと直交する他方の足場板の妻側端部が接続された仮設足場のコーナー部においてその入り隅部となる前記一方の足場板の桁側端部に設置する入り隅用幅木に関する。
【背景技術】
【０００２】
仮設足場での作業においては、作業者の手にしたボルト・ナット、金具等の種々の作業用部品や工具類、足元に置いた各種資材や用具類等を誤って落下させ、事故につながるという危険性が常に付きまとう。そこで、足場板の桁側端部には桁側幅木を取り付け、また足場板の妻側端部には妻側幅木を取り付けるようになっている。
【０００３】
ところで、桁側幅木としては、従来より足場板の桁側端部に沿って簡単容易に設置できるようにしたものが種々提供されているが、特に、一方の足場板の桁側端部にこれと直交する他方の足場板の妻側端部が接続された仮設足場のコーナー部において、その入り隅部となる前記一方の足場板の桁側端部に入り隅用幅木を設置するのに、従来では、その入り隅用幅木の両端部を、隣接する桁側幅木の端部に夫々ワイヤーなどでつなぎ止めることによって固定するようにしているため、その入り隅用幅木の設置作業に手間がかかる上に、その取外し作業も非常に面倒であった。
【発明の概要】
【発明が解決しようとする課題】
【０００４】
本発明は、上記の事情に鑑み、仮設足場のコーナー部においてその入り隅部となる足場板の桁側端部に簡単容易に設置できるようにした出隅用幅木を提供することを目的としている。
【課題を解決するための手段】
【０００５】
上記課題を解決するための手段を、後述する実施形態の参照符号を付して説明すると、請求項１に係る発明は、図２に示すように、一方の足場板Ｐａの桁側端部にこれと直交する他方の足場板Ｐｂの妻側端部が接続された仮設足場のコーナー部においてその入り隅部となる前記一方の足場板Ｐａの桁側端部に設置する入り隅用幅木１であって、前記一方の足場板Ｐａの桁側端部上に起立姿勢に載置される幅木本体３を有し、この幅木本体３の両端部には夫々、前記一方の足場板Ｐａの桁側端部上に載置固定される桁側幅木２の端部、又は前記他方の足場板Ｐｂの桁側端部上に載置固定される桁側幅木２の端部に対し上方より被嵌して取り付けられる端部取付金具４を水平方向に回転可能に取り付けてなる入り隅用幅木において、
端部取付金具４は、図７に示すように、桁側幅木２の端部に外嵌される断面略下向きコ字状の外被部材７と、前記桁側幅木２の端部内に嵌挿される内部嵌挿部材８とからなることを特徴とする。
【０００７】
請求項２は、請求項１に記載の入り隅用幅木において、図３に示すように、幅木本体３の外面側には幅木本体３を足場板Ｐａの桁側端部上に起立姿勢に固定する一つ又は複数のロック手段６を設けてなることを特徴とする。
【０００８】
請求項３は、請求項２に記載の入り隅用幅木において、ロック手段６は、図８に示すように、幅木本体３の外面側に垂直姿勢と下部を外側へ突き出す傾斜姿勢との間で揺動可能に枢着されるセット金具９からなり、このセット金具９は、バネ２０によって垂直姿勢に付勢され、この垂直姿勢において幅木本体３よりも下方へ張出して足場板Ｐａの側縁部３０の下側に係止する係止部２１を備えてなることを特徴とする。
【０００９】
請求項４は、一方の足場板Ｐａの桁側端部にこれと直交する他方の足場板Ｐｂの妻側端部が接続された仮設足場のコーナー部においてその入り隅部となる前記一方の足場板Ｐａの桁側端部に設置する入り隅用幅木１であって、前記一方の足場板Ｐａの桁側端部上に起立姿勢に載置される幅木本体３を有し、この幅木本体３の両端部には夫々、前記一方の足場板Ｐａの桁側端部上に載置固定される桁側幅木２の端部、又は前記他方の足場板Ｐｂの桁側端部上に載置固定される桁側幅木２の端部に対し上方より被嵌して取り付けられる端部取付金具４を水平方向に回転可能に取り付けてなる入り隅用幅木において、
図９に示すように、各端部取付金具４と幅木本体３との間に、端部取付金具４を幅木本体に対し直角をなすように回転した位置で固定する固定手段３１を介装したことを特徴とする。
【００１０】
請求項５は、請求項４に記載の入り隅用幅木において、固定手段３１は、図１０に示すように、幅木本体３の端部内にその上面より垂下挿入されて回転自在に支持された基軸部３２と、基軸部３２の上端部から水平方向に突設された水平軸部３３と、水平軸部３３の先端部から下向きに突出する係止軸部３４とを備えた固定ピン３５、及び前記基軸部３２を常時下向きに付勢するバネ３６からなるもので、端部取付金具４が幅木本体３に対し直角を成す位置で係止軸部３４を端部取付金具４上面側のロック孔３７に突入させることによって端部取付金具４を直角位置に固定することを特徴とする。
【００１１】
請求項６に係る発明は、図１１に示すように、一方の足場板Ｐａの桁側端部にこれと直交する他方の足場板Ｐｂの妻側端部が接続された仮設足場のコーナー部においてその入り隅部に設置する入り隅用幅木４１であって、前記一方の足場板Ｐａの桁側端部上に起立姿勢に載置される幅木本体３と、前記他方の足場板Ｐｂの桁側端部上に載置固定された桁側幅木２の内側に起立姿勢に載置される幅木本体３との二つの幅木本体３，３を有し、両幅木本体３，３は、一端部どうしがヒンジ５により水平方向に回転可能に連結されており、各幅木本体３の他端部には、前記一方の足場板Ｐａの桁側端部上に載置固定される桁側幅木２の端部、又は他方の足場板Ｐｂの桁側端部上に載置固定される桁側幅木２の端部を掴持する掴持フック４４を水平方向に回転可能に取り付けてなる入り隅用幅木において、
掴持フック４４は、図１４に示すように、基端部が取付軸４５により幅木本体３の端部上面に水平方向回転可能に取り付けられる水平材５１と、上端部に設けた前記水平材５１の断面形状に対応する形状の貫通孔５３に水平材５１を嵌挿させることにより水平材５１にスライド可能に取り付けられる垂直材５２と、垂直材５２の下端部を水平材５１と略平行に螺通する締付用螺軸４７とからなり、水平材５１及び垂直材５２を前記桁側幅木２の上端部に乗せ掛け、水平材５１に沿って垂直材５２をスライドさせて螺軸４７の先端部を桁側幅木２の側壁部に当接させた状態で、締付用螺軸４７を締め込むことにより、垂直材５２の貫通孔５３が水平材５１に対し噛み込み力を発生して垂直材５２をロックし、それによって桁側幅木２の端部を掴持するようにしたことを特徴とする。
【００１４】
請求項７は、請求項６に記載の出隅用幅木において、図１４に示すように、水平材５１の先端部には、水平材５１に嵌挿された垂直材５２が水平材５１から抜け出るのを防ぐ抜け止め部５５を設けていることを特徴とする。
【００１５】
請求項８は、請求項６又は７に記載の出隅用幅木において、図１６に示すように、垂直材５２の下部５２ｂ側は、桁側幅木２に近づくように上部５２ａ側に対し傾斜していることを特徴とする。
【００１６】
請求項９は、請求項６〜８の何れかに記載の出隅用幅木において、図１４〜図１６に示すように、締付用螺軸４７の先端部に、桁側幅木２の側壁部に当接する皿形の当て金５０を回転可能に取り付けてなることを特徴とする。
【発明の効果】
【００１７】
上記解決手段による発明の効果を、後述する実施形態の参照符号を付して説明すると、請求項１に係る発明によれば、一方の足場板Ｐａの桁側端部上に起立姿勢に載置される幅木本体３の両端部に夫々、前記一方の足場板Ｐａの桁側端部上に載置固定される桁側幅木２の端部、又は前記他方の足場板Ｐｂの桁側端部上に載置固定される桁側幅木２の端部に対し上方より被嵌して取り付けられる端部取付金具４を水平方向に回転可能に取り付けているから、仮設足場のコーナー部においてその入り隅部となる足場板Ｐａの桁側端部に入り隅用幅木１を簡単容易に設置することができる。また、この入り隅用幅木１によれば、足場の設置状況によって幅木本体３の左右又は内外の位置関係が異なっても、端部取付金具４を水平方向に回転することで、その状況に容易に対応することができる。
【００１８】
そして、本発明によれば、端部取付金具４は、桁側幅木２の端部に外嵌される断面略下向きコ字状の外被部材７と、桁側幅木２の端部内に嵌挿される内部嵌挿部材８とで構成されるから、桁側幅木２の端部に対する取付けが容易になると共に、構造が簡単で、安価に製作できる。
【００１９】
請求項２に係る発明によれば、幅木本体３の外面側に幅木本体３を足場板Ｐａの桁側端部上に起立姿勢に固定する一つ又は複数のロック手段６を設けているから、幅木本体３を足場板Ｐａの桁側端部上により安定状態に固定することができる。
【００２０】
請求項３に係る発明によれば、ロック手段６は、幅木本体３の外面側に垂直姿勢と下部を外側へ突き出す傾斜姿勢との間で揺動可能に枢着されるセット金具９からなるもので、セット金具９は、バネ２０で垂直姿勢に付勢され、この垂直姿勢において幅木本体３より下方へ張出して足場板Ｐａの側縁部３０の下側に係止する係止部２１を備えているから、取付操作が容易で、構造も簡単となって、安価に製作可能となる。
【００２１】
請求項４に係る発明によれば、各端部取付金具４と幅木本体３との間に、端部取付金具４を幅木本体に対し直角をなすように回転した位置で固定する固定手段３１を介装しているから、幅木本体３の端部をより安定状態に固定することができる。
【００２２】
請求項５に係る発明によれば、固定手段３１は、幅木本体３の端部内に垂下挿入されて回転自在に支持された基軸部３２と、基軸部３２の上端部から水平方向に突設された水平軸部３３と、水平軸部３３の先端部から下向きに突出する係止軸部３４とを備えた固定ピン３５、及び基軸部３２を下向きに付勢するバネ３６からなるもので、端部取付金具４が幅木本体３に対し直角を成す位置で係止軸部３４を端部取付金具４上面側のロック孔３７に突入させるだけの簡単な操作で、端部取付金具４を確実に固定することができる。
【００２３】
請求項６に係る発明によれば、足場の設置状況によって幅木本体３の左右又は内外の位置関係が異なっても、端部取付金具４を水平方向に回転することで、その状況に容易に対応することができ、また片方の幅木本体３が、他方の足場板Ｐｂの桁側端部上に既に設置されている桁側幅木２内側に重なるように並置されるから、入り隅用幅木４１の全体を安定良く設置できる。
【００２５】
そして更に請求項６に係る発明によれば、掴持フック４４の水平材５１及び垂直材５２を桁側幅木２の上端部に載せ掛け、そして垂直材５２を水平材５１に沿って桁側幅木２に近づく方向にスライドさせて、螺軸４７の先端部を桁側幅木２の側壁部に当接させた状態で、締付用螺軸４７を締め込んでゆくと、垂直材５２の貫通孔５３がその両端側で水平材５１に対し噛み込み力Ｆを発生して、垂直材５２が水平材５１に対しロックされ、それにより掴持フック４が桁側幅木２を入り隅用幅木１側に引き付けて掴持する。特に垂直材５２の貫通孔５３が水平材５１に対し夫々噛み込み力Ｆを発生するから、締付用螺軸４７を軽く締め込むだけで、垂直材５２が水平材５１に対しロックされて、掴持フック４が桁側幅木２を強固に掴持することができる。
【００２６】
請求項７に係る発明によれば、水平材５１の先端部に抜け止め部５５を設けているから、平材５１に嵌挿された垂直材５２が水平材５１から抜け出るのを防止できる。
【００２７】
請求項８に係る発明によれば、垂直材５２の下部５２ｂ側が桁側幅木２に近づくように上部５２ａ側に対し傾斜しているから、垂直材５２の全体が真っ直ぐに形成されている場合に比べて、締付用螺軸７の締め付けによって垂直材１２の水平材１１への前記噛み込みを良好にすると共に、締付用螺軸７が螺合する垂直材１２の下部１２ｂ側が垂直方向に若干量変位するため締付用螺軸７の締め付け操作が容易になる利点がある。
【００２８】
請求項９に係る発明によれば、締付用螺軸４７をねじ込み方向に回転させて、その先端部を桁側幅木２の側壁部に押し付ける時に、螺軸４７が回転しても、皿形の当て金５０が側壁部に押し付けられたままで回転しないため、桁側幅木２の側壁部が不都合に変形したり傷を付けられることがない上に、皿形当て金５０の摩擦力によって螺軸４７を安定良く固定させることができる。
【図面の簡単な説明】
【００２９】
【図１】本発明に係る入り隅用幅木の実施形態を示す平面図である。
【図２】図１に示す仮設足場の右側にあるコーナーの入り隅部を分かり易く説明する平面図である。
【図３】(a) は本発明に係る入り隅用幅木を外面側から見た正面図、(b) は平面図である。
【図４】(a) は図１の矢印Ａ及びＢ部分の拡大図、(b) は同矢印Ａ及びＢ部分を足場板の外側から見た拡大正面図である。
【図５】(a) は図３の(a) の矢印Ｃで示す部分の拡大図、(b) は(a) のＸ−Ｘ線断面図である。
【図６】(a) は入り隅用幅木の端部を取り付ける桁側幅木の端部を外面側から見た正面図、(b) は平面図である。
【図７】(a) は入り隅用幅木の端部取付金具を桁側幅木の端部に被嵌する状態を示す説明図、(b) は入り隅用幅木の端部取付金具を桁側幅木の端部に被嵌し終えた状態を示す説明図、(c) は(b) のＶ−Ｖ線断面図である。
【図８】(a) は幅木本体の外面側に設けたロック手段を足場の外側から見た正面図、(b) は側面図、(a) のＹ−Ｙ線断面図、(c) は(a) のＺ−Ｚ線断面図である。
【図９】本発明の他の実施形態による入り隅用幅木を外面側から見た正面図、(b) は平面図である。
【図１０】(a) は同上の入り隅用幅木の使用状態を示す図４の(a) と同様な拡大平面図、(b) は図４の(b) と同様な拡大正面図である。
【図１１】図１に示す仮設足場の左側にあるコーナーの入り隅部に本発明の更に他の実施形態による入り隅用幅木を設置した状態の図２と同様な平面図である。
【図１２】(a) は同上の入り隅用幅木の一端部側の取付状態を足場板の外側から見た示す斜視図、(b) は同上の入り隅用幅木の他端部側の取付状態を足場板の外側から見た示す斜視図である。
【図１３】同上の入り隅用幅木の直角状に曲折した中央部を足場板の外側から見た斜視図、(b) は同じ入り隅用幅木の曲折中央部を平面状に展開した状態の正面図である。
【図１４】(a) は掴持フックの他の実施形態を示す斜視図、(b) は同掴持フックの正面図である。
【図１５】図９に示す掴持フックの使用状態を説明する説明図である。
【図１６】図９に示す掴持フックの作用を説明する説明図である。
【発明を実施するための形態】
【００３０】
以下に本発明の好適な一実施形態を図面に基づいて説明すると、図１〜図４において、１は本発明に係る入り隅用幅木を示す。この入り隅用幅木１は、図１に示から分かるように、一方の足場板Ｐａの桁側端部にこれと直交する他方の足場板Ｐｂの妻側端部が接続された仮設足場のコーナー部において、その入り隅部となる一方の足場板Ｐａの桁側端部に設置する幅木である。また図において、２は足場板Ｐａ，Ｐｂの桁側端部上に設置された従来タイプの桁側幅木を示す。
【００３１】
入り隅用幅木１は、図１〜図４に示すように、仮設足場のコーナー部において入り隅部となる一方の足場板Ｐａの桁側端部上に起立姿勢に載置される幅木本体３を有する。この幅木本体３の両端部には夫々、一方の足場板Ｐａの桁側端部上に載置固定された桁側幅木２の端部、又は当該一方の足場板Ｐａと直交する他方の足場板Ｐｂの桁側端部上に載置固定された桁側幅木２の端部に対し上方より被嵌して取り付けられる端部取付金具４を、ヒンジ５によって水平方向に回転可能に取り付け、また幅木本体３の長手方向中央部の外面側に、幅木本体３を足場板Ｐａの桁側端部上に起立姿勢に固定するためのロック手段６を設けてなるものである。
【００３２】
入り隅用幅木１の幅木本体３は、図３、図５及び図８に示すように、金属板材により、側壁部３ａと、上壁部３ｂと、下壁部３ｃと、上下壁部３ｂ，３ｃから夫々内向きに突出するフランジ３ｄとからなる断面略コ字状に形成されたもので、この幅木本体３の両端部に夫々端部取付金具４がヒンジ５により水平方向に回転可能に取り付けられ、また幅木本体３の外面側両端部に夫々補強板１６がリベットＲで取り付けられている。図３の(a) ，(b) において、幅木本体３の左端側に取り付けられた端部取付金具４は、幅木本体３の長手方向に真っ直ぐに延ばした状態で示し、幅木本体３の右端側に取り付けられた端部取付金具４は、幅木本体３の長手方向と直交するように回転させた状態で示す。
【００３３】
尚、足場板Ｐａ，Ｐｂの桁側端部上に設置される桁側幅木２は、図６、図１２から分かるように、入り隅用幅木１の幅木本体３と同じ様な断面略コ字状の幅木本体１７を有し、この幅木本体１７は、金属板材により、側壁部１７ａと、上壁部１７ｂと、下壁部１７ｃと、上下壁部１７ｂ，１７ｃから夫々内向きに突出するフランジ１７ｄとからなる断面略コ字状に形成されたもので、この幅木本体１７の前後両端部には夫々、平面視略コ字形の端部補強枠１８が取り付けてある。そして、この桁側幅木２は、図４に示すように、桁側幅木固定ロッド１９を、幅木本体１７の上下端面を貫通するように設けられた貫通孔（図示省略）に貫通して、足場板Ｐａ，Ｐｂ上面の桁側端部所定位置に設けられたロッド挿入孔（図示省略）に挿入することによって、足場板Ｐａ，Ｐｂの桁側端部上に起立姿勢に固定されるようになっている。
【００３４】
各端部取付金具４は、図５の(a) ，(b) に示すように、桁側幅木２の端部に外嵌される外被部材７と、桁側幅木２の端部補強枠１８内に嵌挿される内部嵌挿部材８とからなり、外被部材７は、内側板７ａと、内側板７ａよりも裾の短い外側板７ｂと、内外側板７ａ，７ｂの上端部をつなぐ上板７ｃとによって断面略下向きコ字状に形成され、内部嵌挿部材８は、同じ裾丈の内外側板８ａ，８ｂと上板８ｃとによって断面略下向きコ字状に形成され、外被部材７の上板７ｃと内部嵌挿部材８の上板８ｃとが重なってリベットＲで接合されている。
【００３５】
この端部取付金具４は、図５の(a) に示すように、外被部材７の内側板７ａと幅木本体３の側壁部３ａとの間に介装されたヒンジ５によって水平方向に回転可能となっている。このヒンジ５は、外被部材７の内側板７ａ及び幅木本体３の側壁部３ａに取り付けられる一対のヒンジ部材５ａ，５ｂと、両ヒンジ部材５ａ，５ｂを上下方向に貫通し、上端部が幅木本体３の上壁部３ｂから突出するボルトからなる支軸５ｃとによって構成される。
【００３６】
しかして、幅木本体３の端部取付金具４を、足場板Ｐａ，Ｐｂの桁側端部上に載置固定されている桁側幅木２の端部に取り付けるには、図７の(a) に示すように、桁側幅木２の端部上方に幅木本体３の端部取付金具４を持ち来たした状態から、端部取付金具４をそのまま下ろして、外被部材７を桁側幅木２の端部補強枠１８に外嵌すると共に、内部嵌挿部材８をその端部補強枠１８内に嵌挿すればよい。図４の(a) ，(b) 及び図７の(b) は、外被部材７を桁側幅木２の端部補強枠１８に外嵌し、内部嵌挿部材８を端部補強枠１８内に嵌挿して、端部取付金具４を桁側幅木２の端部に取り付けた状態を示す。このような構造の端部取付金具４によれば、桁側幅木２の端部に対する取付けが容易となり、また構造が簡単であるから、製作が容易で、安価に提供できる。
【００３７】
図７の(c) は、桁側幅木２の端部補強枠１８内に嵌挿された内部嵌挿部材８が端部補強枠１８内の一定範囲Ｓで幅木本体３の長手方向の移動を制限される状態を示したもので、この端部補強枠１８内での内部嵌挿部材８の移動制限によって、入り隅用幅木１の設置時の幅木本体３の長手方向のズレを防止することができる。
【００３８】
入り隅用幅木１の幅木本体３を足場板Ｐａの桁側端部上に起立姿勢に固定するロック手段６は、図８の(a) 〜(c) に示すように、幅木本体３の外面側に垂直姿勢と下部を外側へ突き出す傾斜姿勢（図示省略）との間で揺動可能に枢着されるセット金具９からなるもので、このセット金具９は、ネジリコイルばね２０によって垂直姿勢に付勢され、この垂直姿勢において図８の(b) に示すように幅木本体３よりも下方へ張出して足場板Ｐａの側縁部３０の下側に係止する係止部２１を備えている。
【００３９】
更に説明すれば、セット金具９は、図８(a) 〜(c) に示すように、略縦長矩形状の一枚の金属板材よりなるもので、下端側には板材下端部を側面視Ｖ字形に内側へ鋭角に折り曲げて係止部２１を形成すると共に、やや上部寄り位置の左右両側部に内向きに突出した突片２２，２２を備え、これら突片２２，２２と幅木本体３側のコ字状金具２４の左右両側片２４ａ，２４ａとの重合部分に貫設した水平ピン２５により、幅木本体３の下部側フランジ３ｄに当接する垂直姿勢と、下部を外側へ突き出す傾斜姿勢との間で揺動可能に枢着され、且つ水平ピン２５に嵌装したタコばね２０の付勢によって常時は垂直姿勢を保持するように設定されている。
【００４０】
入り隅用幅木１の設置時にセット金具９を足場板Ｐａにセットするには、幅木本体３を足場板Ｐａの側縁部３０の上方に位置させた状態から、幅木本体３を下ろして、セット金具９の下端部を幅木本体３上面に当てると、垂直姿勢にあったセット金具９は、下端部の内側斜め上方へＶ字形に突設された係止部２１の傾斜状下面が足場板Ｐａの側縁部３０に接触するから、傾斜誘導作用によって自動的にタコばね２０の付勢に抗して外側へ傾動変位し、係止部２１の先端が足場板Ｐａの側縁部３０の外側面に摺接しながら幅木本体３と一体に下降することになる。しかして、幅木本体３が足場板６上に載った段階では、セット金具９の係止部２１の先端が足場板Ｐａの側縁部３０よりも下位にくるから、セット金具９はタコばね２０の付勢力によって自動的に垂直姿勢に戻り、係止部２１が足場板Ｐａの側縁部３０の下側へ入り込んで係止され、これにより幅木本体３を起立姿勢に固定することができる。入り隅用幅木１の取外し時には、セット金具９の下端部側をばね２０付勢力に抗して外側へ引き出し、係止部２１が足場板Ｐａの側縁部３０から外側へ脱した状態で、そのまま幅木本体３を上方へ持ち上げればよい。
【００４１】
上記のように構成される入り隅用幅木１の設置方法について説明すると、先ず、図１の右側に示す仮設足場のコーナー部の入り隅部に入り隅用幅木１を設置する時には、図２に実線で示す入り隅用幅木１のように、幅木本体３の一端部（左端部）側の端部取付金具４を幅木本体３の長手方向に真っ直ぐに延ばし、他端部（右端部）側の端部取付金具４を幅木本体３の長手方向と直交するように回転させた状態にしておいて、この入り隅用幅木１を、入り隅部となる足場板Ｐａの桁側端部の上方に持ち来たし、そして一端部側の端部取付金具４を、当該足場板Ｐａの左端に隣接する足場板Ｐａの桁側端部上に載設固定されている桁側幅木２の端部に上方より被嵌し、また他端部側の端部取付金具４を、当該足場板Ｐａと直交する足場板Ｐｂの桁側端部部上に載設固定されている桁側幅木２の端部に対し上方より被嵌すればよい。こうして設置した入り隅用幅木１を図２に仮想線で概略的に示し、またその詳細は図４の(a) ，(b) に示す通りである。尚、図４の(a) ，(b) において、Ｍは仮設足場の支柱、Ｎは支柱Ｍに横架される横ステーを示し、この横ステーＮに足場板Ｐａ，Ｐｂの掛止用フックＦが掛止されている。
【００４２】
また、上記のように幅木本体３の両端部の端部取付金具４，４を両足場板Ｐａ，Ｐｂ上の桁側幅木２，２の夫々の端部に被嵌する間に、幅木本体３の外面側中央部に設けてあるロック手段６としてのセット金具９を前述の要領で足場板Ｐａにセットし、入り隅用幅木１の幅木本体３を起立姿勢に固定する。尚、このセット金具９（ロック手段６）を使用しなくても、両端部の端部取付金具４，４だけで、入り隅用幅木１の幅木本体３を足場板Ｐａの桁側端部上に起立姿勢に固定できるが、このセット金具９をセットすることにより、幅木本体３をより安定状態に固定することができる。
【００４３】
幅木本体３の各端部取付金具４を桁側幅木２の端部に被嵌する際は、図７の(a) ，(b) により説明したように、桁側幅木２の端部上方より端部取付金具４をそのまま下ろして、外被部材７を桁側幅木２の端部補強枠１８に外嵌すると共に、内部嵌挿部材８を端部補強枠１８内に嵌挿すればよい。この時、図７の(c) に示すように内部嵌挿部材８が端部補強枠１８内の一定範囲Ｓで幅木本体３の長手方向の移動を制限されるため、そのストッパー効果によって、入り隅用幅木１の設置時の幅木本体３の長手方向のズレを防止することができる。
【００４４】
また、図１の左側に示す仮設足場のコーナー部の入り隅部に入り隅用幅木１を設置する時は、上述した同図右側の仮設足場のコーナー部の入り隅部への入り隅用幅木１の設置とは左右の位置関係が逆になるため、図示は省略するが、幅木本体３の一端部（左端部）側の端部取付金具４を幅木本体３の長手方向と直交するように回転させ、他端部（右端部）側の端部取付金具４を幅木本体３の長手方向に真っ直ぐに延ばした状態とすれば、あとは上述の方法と同じ方法によって簡単容易に入り隅用幅木１を設置することができる。
【００４５】
上記のような構成の入り隅用幅木１によれば、仮設足場のコーナー部においてその入り隅部となる足場板Ｐａの桁側端部に入り隅用幅木１を簡単容易に設置することができる。また、この入り隅用幅木１によれば、足場の設置状況によって幅木本体３の左右又は内外の位置関係が異なっても、端部取付金具４を水平方向に回転することにより、その状況に容易に対応することができる。
【００４６】
また、端部取付金具４については、この実施形態のものに限るものではないが、この実施形態のように、桁側幅木２の端部に外嵌される断面略下向きコ字状の外被部材７と、前記桁側幅木２の端部内に嵌挿される内部嵌挿部材８とからなる端部取付金具４によれば、桁側幅木２の端部に対する取付操作が容易であると共に、構造が簡単であるため、安価に製作できる利点がある。
【００４７】
またロック手段６も、この実施形態に示すセット金具９に限定されないが、この実施形態のように、幅木本体３の外面側に垂直姿勢と下部を外側へ突き出す傾斜姿勢との間で揺動可能に枢着されるセット金具９からなるもので、このセット金具９が、バネ２０によって垂直姿勢に付勢され、この垂直姿勢において幅木本体３よりも下方へ張出して足場板Ｐａの側縁部３０の下側に係止する係止部２１を備えたものとすれば、取付操作が容易で、構造も簡単となって、安価に製作可能となる。
【００４８】
図９の(a) は、幅木本体３と各端部取付金具４との間に端部取付金具４を幅木本体３に対し直角をなすように回転した位置で固定する固定手段３１を介装した入り隅用幅木１を示す正面図、(b) はその平面図である。尚、この図９の(a) ，(b) も、幅木本体３の左端側の端部取付金具４は、幅木本体３の長手方向に真っ直ぐに延ばした状態を示し、幅木本体３の右端側の端部取付金具４は、幅木本体３の長手方向と直交するように回転させた状態を示している。
【００４９】
上記各固定手段３１は、図１０の(a) ，(b) に示すように、幅木本体３の端部内にその上面より垂下挿入され、補強板１６に設けてあるブラケット３９に回転自在に支持された基軸部３２、この基軸部３２の上端部から水平方向に突設された水平軸部３３、この水平軸部３３の先端部から下向きに突出する係止軸部３４を備えた固定ピン３５と、前記基軸部３２を常時下向きに付勢するコイルバネ３６とからなり、端部取付金具４が幅木本体３に対し直角を成す位置で、係止軸部３４を端部取付金具４上面側に設けたロック孔３７に突入させることにより、端部取付金具４を直角位置に固定するようにしたもので、この端部取付金具４を直角位置に固定したロック状態を、図１０の(a) ，(b) の夫々右端部に示す。尚、図１０の(a) ，(b) において、Ｍは仮設足場の支柱、Ｎは支柱Ｍに横架される横ステーを示し、横ステーＮに足場板Ｐａ，Ｐｂの掛止用フックＦが掛止される。
【００５０】
この固定手段３１により直角位置にロックされた端部取付金具４をロック解除するには、固定ピン３５の水平軸部３３を、コイルバネ３６の付勢力に抗して上方へ引っ張って、係止軸部３４がロック孔３７から抜き取ればよく、また固定ピン３５を使用しない時は、水平軸部３３を基軸部３２を中心に水平方向に回転させて幅木本体３と平行な位置で係止軸部３４を、端部取付金具４上面側に設けた係止孔３８に突入させておけばよい。この非使用時の固定ピン３５の状態を図１０の(a) ，(b) の夫々中央部側に示す。
【００５１】
上記の様な構成の固定手段３１により端部取付金具４を幅木本体３に対し９０°回転した位置に固定することによって、この幅木本体３の端部をより安定状態に固定することができる。
【００５２】
図１１は図１に示す仮設足場の左側にあるコーナーの入り隅部に前述の入り隅用幅木１とは異なる他の入り隅用幅木４１を設置した状態の、図２と同様な平面図であり、図１の(a) は図１１の矢印Ｃで示す部分を足場の外側から見た斜視図、(b) は同図の矢印Ｄで示す部分を足場の外側から見た斜視図であり、図１３の(a) は図１１のの矢印Ｅで示す部分を足場の外側から見た斜視図、(b) は(a) に示す幅木本体３，３の直角接合端部を平面状に展開した状態を足場の外側から見た正面図である。
【００５３】
即ち、この入り隅用幅木４１は、一方の足場板Ｐａの桁側端部にこれと直交する他方の足場板Ｐｂの妻側端部が接続された仮設足場のコーナー部においてその入り隅部に設置する入り隅用幅木であって、前記一方の足場板Ｐａの桁側端部上に起立姿勢に載置される幅木本体３と、前記他方の足場板Ｐｂの桁側端部上に起立姿勢に載置される幅木本体３との二つの幅木本体３，３を有し、両幅木本体３，３は、一端部どうしがヒンジ５により水平方向に回転可能に連結されており、各幅木本体３の他端部には、前記一方の足場板Ｐａの桁側端部上に載置固定される桁側幅木２の端部、又は他方の足場板Ｐｂの桁側端部上に載置固定される桁側幅木２の端部を掴持する掴持フック４４を水平方向に回転可能に取り付けてなるものである。
【００５４】
掴持フック４４は、図１２の(a) ，(b) に示すように、水平板部４６ａの先端から垂直板部４６ｂが下向きに突設されていて、水平板部４６ａの基端部が取付軸４５によって幅木本体３の端部上面に水平方向回転可能に取り付けられるＬ形のフック本体４６と、垂直板部４６ｂに設けてある軸挿通孔（図示省略）に取り付けられたナット４８を螺通して水平板部４６ａと平行に延びる締付用螺軸４７とからなるもので、フック本体４６を、図示のように桁側幅木２の上端部に乗せ掛け、締付用螺軸４７を締付方向に回すことにより、螺軸先端部を桁側幅木２の幅木本体１７の側壁部外面に押し付けて、幅木本体３の端部を桁側幅木２側に引き付け、それにより桁側幅木２の端部を掴持して幅木本体３を桁側幅木２に固定するようにしている。締付用螺軸４７の基端部には回転操作用の蝶形把手４９が設けられている。
【００５５】
この入り隅用幅木４１を示す図１１〜図１３において、入り隅用幅木４１の幅木本体３、桁側幅木２の幅木本体１７、ヒンジ５及びその他の構造については、図１〜図８に示される前記入り隅用幅木１の夫々の構造と同じであるため、同じ構成部材には同じ符号を付して説明を省略する。
【００５６】
上記のように構成される入り隅用幅木４１の設置にあたっては、図１１に仮想線で示すように、両幅木本体３，３をヒンジ５を中心に回転して外面側どうしが直角を成すようにすると共に、各幅木本体３の端部の掴持フック４４を真っ直ぐに延ばした状態とし、この状態で、図１１に実線で示すように、一方の幅木本体３を一方の足場板Ｐａの桁側端部上に載置すると共に、他方の幅木本体３を、桁側幅木２が設置されている他方の足場板Ｐｂの桁側端部上で桁側幅木２内側に重なるように載置する、そして、一方の足場板Ｐａの桁側端部上の幅木本体３側の掴持フック４４のフック本体４６を、取付軸４５を中心に幅木本体３の長手方向と直交するように外向きに回転させた状態で、足場板Ｐａの桁側端部上に設置されている桁側幅木２の上端部に乗せ掛け、その位置で締付用螺軸４７をねじ込み方向に回転させて、締付用螺軸４７の先端部を、桁側幅木２の幅木本体１７の側壁部１７ａ外面に押し付けることによって、掴持フック４４で桁側幅木２を掴持し、また他方の足場板Ｐｂの桁側端部上の幅木本体３側の掴持フック４４のフック本体４６を幅木本体３と直交するように外向きに回転させた状態で、足場板Ｐｂの桁側端部上に設置されている桁側幅木２の上端部に乗せ掛け、同様に締付用螺軸４７を締め付けることによって、掴持フック４４でその桁側幅木２を掴持し、これによって入り隅用幅木４１の直交する二つの幅木本体３，３を、入り隅部となる足場板Ｐｂの桁側端部上と他の足場板Ｐｂの桁側端部上とに起立姿勢に固定する。
【００５７】
上記のような構成の入り隅用幅木４１によれば、前記入り隅用幅木１と同様に、足場の設置状況によって幅木本体３の左右又は内外の位置関係が異なっても、端部取付金具４を水平方向に回転することで、その状況に容易に対応することができ、また片方の幅木本体３が、桁側幅木２の設置されている他方の足場板Ｐｂの桁側端部上で桁側幅木２内側に重なるように設置されるから、入り隅用幅木４１が足場板Ｐｂの桁側端部上に余裕をもって安定良く設置される。
【００５８】
また、掴持フック４４は、基端部が取付軸４５により幅木本体３の端部上面に水平方向回転可能に取り付けられるＬ形のフック本体４６と、このフック本体４６垂直板部４６ｂに設けたナット４８を水平板部４６ａと平行に螺通する締付用螺軸４７とからなるもので、フック本体４６を前記桁側幅木２の上端部に乗せ掛けて締付用螺軸４７を回すことにより螺軸４７の先端部を桁側幅木２の側壁部に押し付けて桁側幅木２の端部を掴持するから、簡単な操作で桁側幅木２の端部を確実に掴持して、幅木本体３の端部を桁側幅木２に対し的確に固定することができる。
【００５９】
図１４の(a) は掴持フック４４の他の実施形態を示す斜視図であり、(b) はその正面図である。この掴持フック４４は、基端部が取付軸４５により幅木本体３の端部上面に水平方向回転可能に取り付けられる断面矩形状の水平材５１と、上端部に設けた前記水平材５１の断面形状に対応する形状の角孔（貫通孔）５３に水平材５１を嵌挿させることによって水平材５１にスライド可能に取り付けられる垂直材５２と、この垂直材５２の下端部に設けたネジ孔５４に螺通された締付用螺軸４７とからなるもので、水平材５１及び垂直材５２を前記桁側幅木２の上端部に乗せ掛け、水平材５１に沿って垂直材５２を適宜にスライドさせて螺軸４７先端部を桁側幅木２の側壁部に当接させた状態で、締付用螺軸４７を回して締め込むことにより、垂直材５２の角孔（貫通孔）５３が水平材５１に対し噛み込み力を発生させて垂直材５２をロックし、それによって桁側幅木２の端部を掴持するようになっている。図１４の(b) は、垂直材５２が水平材５１に対しロック解除されている状態を示す。
【００６０】
水平材５１の先端部には、この水平材５１に嵌挿された垂直材５２が水平材５１から抜け出るのを防ぐための抜け止め部５５が設けられている。この抜け止め部１５はリベットやプレス加工による切起し等の突起物からなる。また、垂直材５２の下部５２ｂ側は、上部５２ａ側よりも桁側幅木２に近づくように、上部５２ａ側に対しα°、例えば１１°傾斜している。
【００６１】
図１４〜図１６から分かるように、締付用螺軸４７の先端部には、桁側幅木２の幅木本体１７の側壁部外面に当接する皿形の当て金５０が回転可能に取り付けられているため、締付用螺軸４７をねじ込み方向に回転させて、その先端部を桁側幅木２の側壁部に押し付ける時に、螺軸４７が回転しても、皿形の当て金５０が側壁部に押し付けられたままで回転せず、従って桁側幅木２の側壁部が不都合に変形したり傷を付けられることがない上に、皿形当て金５０の摩擦力によって螺軸４７を安定良く固定させることができる。
【００６２】
図１５の(a) 〜(c) は上記構成の掴持フック４４の使用状態を示すもので、先ず(a) に示すように、掴持フック４４の水平材５１及び垂直材５２を桁側幅木２の幅木本体１７の上端部に載せ掛け、そうして(b) に示すように垂直材５２を水平材５１に沿って桁側幅木２に近づく方向に適宜にスライドさせて、螺軸４７の先端部の当て金５０を幅木本体１７の側壁部外面に当接させ、この状態から(c) に示すように蝶形把手４９を回転操作して締付用螺軸４７を締め込んでゆくと、図１６に示すように、垂直材５２の角孔（貫通孔）５３がその両端側で水平材５１に対し噛み込み力Ｆを発生して、垂直材５２が水平材５１に対しロックされ、それによって掴持フック４４が桁側幅木２を入り隅用幅木１側に引き付けた状態に掴持する。
【００６３】
この場合、図１６から分かるように、垂直材５２の上端部に設けられた角孔（貫通孔）５３とこれに嵌挿される水平材５１との間には僅かな隙間があるため、締付用螺軸４７を締め込んでゆくと、垂直材５２は、上端部の角孔５３を中心として桁側幅木２の幅木本体１７から離れるように傾動し、従って角孔５３の上壁面５３ａと水平材５１の上側面との隙間では、上壁面５３ａの前端縁（取付軸４５に近い方の端縁）が水平材５１の上側面に噛み込んで、後端縁が水平材４１の上側面から持ち上がる（持ち上がり角度βは例えば３．７°）と同時に、角孔５３の下壁面５３ｂと水平材５１の下側面との隙間では、下壁面５３ｂの後端縁（取付軸４５から遠い方の端縁）が水平材５１の上側面に噛み込んで、前端縁が水平材５１の上側面から角孔５３の上壁面５３ａの後端縁と同じ角度βだけ持ち上がり、しかして角孔５３の上壁面５３ａの前端縁と下壁面５３ｂの後端縁とが水平材５１の上下側面に対し夫々噛み込み力Ｆを発生するから、締付用螺軸４７を軽く締め込むだけで、垂直材５２が水平材５１に対しロックされ、掴持フック４４が桁側幅木２を確実強固に掴持することができる。尚、この実施形態では、貫通孔５３として角孔を採用しているが、角孔に限るものではなく、水平材５１として、断面円形状のものを使用し、垂直材５２の貫通孔５３を丸孔とすることもできる。但し、この実施形態のように、水平材５１として断面矩形状のものを使用して、貫通孔５３を角孔とした場合は、水平材５１に対する垂直材５２の貫通孔の噛み込み力Ｆを有効に発生させることができる。
【００６４】
また、この場合、垂直材５２の下部５２ｂ側が桁側幅木２に近づくように上部５２ａ側に対し所要角度αだけ傾斜していることから、垂直材５２の全体が真っ直ぐに形成されている場合に比べ、締付用螺軸７の締め付けによって垂直材１２の水平材１１への前記噛み込みを良好にすると共に、締付用螺軸７が螺合する垂直材１２の下部１２ｂ側が垂直方向に若干量変位するため締付用螺軸７の締め付け操作が容易になる利点がある。
【符号の説明】
【００６５】
Ｐａ          一方の足場板
Ｐｂ          他方の足場板
１            既設の入り隅用幅木
２            桁側幅木
３            入り隅用幅木の幅木本体
４            端部取付金具
５            ヒンジ
６            ロック手段
７            外被部材
８            内部嵌挿部材
９            ロック手段としてのセット金具
１７          桁側幅木の幅木本体
３１          固定手段
４１          入り隅用幅木
４４          掴持フック
４５          取付軸
４７          締付用螺軸
５０          皿形の当て金
５１          水平材
５２          垂直材
５３          貫通孔
５５          抜け止め部
【図１】
0005513064.tif 000002
【図２】
0005513064.tif 000003
【図３】
0005513064.tif 000004
【図４】
0005513064.tif 000005
【図５】
0005513064.tif 000006
【図６】
0005513064.tif 000007
【図７】
0005513064.tif 000008
【図８】
0005513064.tif 000009
【図９】
0005513064.tif 000010
【図１０】
0005513064.tif 000011
【図１１】
0005513064.tif 000012
【図１２】
0005513064.tif 000013
【図１３】
0005513064.tif 000014
【図１４】
0005513064.tif 000015
【図１５】
0005513064.tif 000016
【図１６】
0005513064.tif 000017